(57)【要約】【課題】加飾パネルと被装着物との係合箇所が表側から見えない意匠性の高い透明基材を使った加飾パネルを提供する。【解決手段】裏面に不透明な意匠膜15を一体に形成して加飾パネル3を構成する透明基材13は、本体部13aと、本体部13aの一端側外周縁から本体部13a裏面側に外方に向かって斜めに延出する第１傾斜面部13bと、本体部13aの他端側外周縁から本体部13a裏面側に内方に向かって斜めに延出する第２傾斜面部13cとを備える。アッパーパネル5のパネル装着箇所6に本体部13aの略面直方向Aに沿う第１係合面部5bと本体部13aの略面直方向Aと直交する第２係合面部5cとを形成する。第１傾斜面部13bの先端に本体部13aの略面直方向Aと直交する方向に突設された舌状突起部17を第１係合孔9に係合し、第２傾斜面部13cの先端に本体部13aの略面直方向Aに沿って突設された爪状突起部19を第２係合孔11に係合させる。【選択図】図２
2008044577.tif 000002
【特許請求の範囲】
【請求項１】
射出成形された透明基材の裏面に不透明な意匠膜が一体に形成され被装着物に装着される加飾パネルであって、
上記透明基材は、該透明基材の主体をなす本体部と、該本体部の一端側外周縁から本体部裏面側に外方に向かって斜めに延出する第１傾斜面部と、上記本体部の他端側外周縁から本体部裏面側に内方に向かって斜めに延出する第２傾斜面部とを備え、
上記第１傾斜面部の先端には、上記本体部の略面直方向に沿って設けられた上記被装着物の第１係合面部へ上記本体部の略面直方向と直交する方向に貫通形成された第１係合孔に係合する舌状突起部が本体部の略面直方向と直交する方向に突設されている一方、上記第２傾斜面部の先端には、上記本体部の略面直方向と直交して設けられた上記被装着物の第２係合面部へ上記本体部の略面直方向に貫通形成された第２係合孔に係合する爪状突起部が本体部の略面直方向に沿って突設されていることを特徴とする加飾パネル。
【請求項２】
請求項１に記載の加飾パネルであって、
上記第１傾斜面部裏面と上記本体部の略面直方向とのなす角度が、上記第２傾斜面部裏面と上記本体部の略面直方向とのなす角度よりも大きく設定されていることを特徴とする加飾パネル。
【発明の詳細な説明】
【技術分野】
【０００１】
この発明は、加飾パネルに関するものである。
【背景技術】
【０００２】
特許文献１には、自動車等に取り付けてその意匠性を高める加飾パネルとして、透明基材の裏面に不透明な意匠膜である蓄光性塗料層をスクリーン印刷等の方法により一体に形成したものが開示されている。
【０００３】
図７に示すように、上記のように透明基材ａの裏面に意匠膜ｂが形成された加飾パネルｃを例えば自動車のインストルメントパネルを構成するアッパーパネルｄに装着する場合、パネル本体部の略面直方向Ａと直交するアッパーパネルｄの装着箇所ｅに係合孔ｆをパネル本体部の略面直方向Ａに沿って貫通形成しておく。一方、加飾パネルｃの基材ａの両端縁にパネル本体部の略面直方向Ａに沿って爪状突起部ｇを突設する。このように構成された加飾パネルｃを突起部ｇを上記係合孔ｆに対応させて車室内側から押圧して突起部ｇを係合孔ｆに係合し、加飾パネルｃをアッパーパネルｄに装着する。なお、ｈは加飾パネルｃの下方に配置されたグローブボックスである。
【特許文献１】特開２００２−２４０６４５号公報（段落０００８欄、図２）
【発明の開示】
【発明が解決しようとする課題】
【０００４】
ところで、上記の図７に示す例では、加飾パネルｃの突起部ｇ及びアッパーパネルｄの係合孔ｆが共にパネル本体部の略面直方向Ａに向いているので、加飾パネルｃをアッパーパネルｄに装着した状態で、係合箇所がアッパーパネルｄの表側から見えてしまい意匠性が低下するという問題がある。
【０００５】
この発明はかかる点に鑑みてなされたものであり、その目的とするところは、加飾パネルと被装着物との係合箇所が被装着物の表側から見えない意匠性の高い加飾パネルを提供することである。
【課題を解決するための手段】
【０００６】
上記の目的を達成するため、加飾パネルの形状、並びに加飾パネルに形成された突起部及び被装着物に形成された係合孔の向きに工夫を凝らしたことを特徴とする。
【０００７】
具体的には、この発明は、射出成形された透明基材の裏面に不透明な意匠膜が一体に形成され被装着物に装着される加飾パネルを対象とし、次のような解決手段を講じた。
【０００８】
すなわち、請求項１に記載の発明は、上記透明基材は、該透明基材の主体をなす本体部と、該本体部の一端側外周縁から本体部裏面側に外方に向かって斜めに延出する第１傾斜面部と、上記本体部の他端側外周縁から本体部裏面側に内方に向かって斜めに延出する第２傾斜面部とを備え、上記第１傾斜面部の先端には、上記本体部の略面直方向に沿って設けられた上記被装着物の第１係合面部へ上記本体部の略面直方向と直交する方向に貫通形成された第１係合孔に係合する舌状突起部が本体部の略面直方向と直交する方向に突設されている一方、上記第２傾斜面部の先端には、上記本体部の略面直方向と直交して設けられた上記被装着物の第２係合面部へ上記本体部の略面直方向に貫通形成された第２係合孔に係合する爪状突起部が本体部の略面直方向に沿って突設されていることを特徴とする。
【０００９】
請求項２に記載の発明は、請求項１に記載の発明において、上記第１傾斜面部裏面と上記本体部の略面直方向とのなす角度が、上記第２傾斜面部裏面と上記本体部の略面直方向とのなす角度よりも大きく設定されていることを特徴とする。
【発明の効果】
【００１０】
請求項１に係る発明によれば、加飾パネルの本体部の略面直方向と直交する方向に突設された舌状突起部が係合する被装着物の第１係合孔は、第１係合面部に本体部の略面直方向と直交する方向に貫通形成されているので、係合箇所が被装着物の表側から見えず、意匠性を低下させない。一方、被装着物の本体部の略面直方向に沿って貫通形成された第２係合孔に係合する加飾パネルの爪状突起部は、本体部裏面側に内方に向かって斜めに延出する第２傾斜面部の先端に形成され、係合箇所が本体部の内方に位置して該本体部で覆われて被装着物の表側から見えない。これにより、意匠性の高い加飾パネルを提供することができる。
【００１１】
請求項２に係る発明によれば、第１傾斜面部裏面と第２傾斜面部裏面とが先端にいくにしたがって互いが離れる方向に形成されているので、第１傾斜面部裏面はもとより、本体部の内方に向かって形成された第２傾斜面部裏面も所定の方向に面するように配置することができ、意匠膜が裏面に確実に形成された意匠性の高い加飾パネルを容易に提供することができる。
【発明を実施するための最良の形態】
【００１２】
以下、この発明の実施形態について図面に基づいて説明する。
【００１３】
図１及び図２は自動車のインストルメントパネル１を示す。該インストルメントパネル１はアッパーパネル５を備え、該アッパーパネル５を被装着物としてその下端で、かつグローブボックス７上方のパネル装着箇所６にこの発明の実施形態に係る加飾パネル３が装着されている。加飾パネル３はアッパーパネル５に装着された状態で、乗員から正面に目視される本体部１３ａを有している。図２中、本体部１３ａの略面直方向を矢印Ａで示す。
【００１４】
上記アッパーパネル５のパネル装着箇所６は、図２に示すように、車室内側を向いている前面部５ａに対して凹陥していて、該パネル装着箇所６には、本体部１３ａの略面直方向Ａに沿う第１係合面部５ｂと、本体部１３ａの略面直方向Ａと直交する第２係合面部５ｃとが上記前面部５ａに連続して形成されている。上記第１係合面部５ｂには、第１係合孔９が本体部１３ａの略面直方向Ａと直交する方向に、かつ、車幅方向に間隔をあけて複数個貫通形成されている。一方、上記第２係合面部５ｃには、第２係合孔１１が本体部１３ａの略面直方向Ａに沿って、かつ、車幅方向に間隔をあけて複数個貫通形成されている。
【００１５】
上記加飾パネル３は、射出成形された樹脂製の透明基材１３と、該透明基材１３の裏面に一体に形成された不透明な意匠膜１５とからなる。
【００１６】
上記透明基材１３は、図３にも示すように、該透明基材１３の主体をなす略矩形の上記本体部１３ａと、該本体部１３ａの一端側（上端側）外周縁から本体部１３ａ裏面側に外方に向かって斜めに延出する第１傾斜面部１３ｂと、上記本体部１３ａの他端側（下端側）外周縁から本体部１３ａ裏面側に内方に向かって斜めに延出する第２傾斜面部１３ｃとを備えている。上記第１傾斜面部１３ｂ裏面と本体部１３ａの略面直方向Ａとのなす角度θ１が、上記第２傾斜面部１３ｃ裏面と本体部の略面直方向Ａとのなす角度θ２よりも大きく設定されており、その結果、上記第１傾斜面部１３ｂ裏面と第２傾斜面部１３ｃ裏面とは加飾パネル３裏側に向かって開いている。
【００１７】
上記第１傾斜面部１３ｂの先端には、上記第１係合孔９に対応するように舌状突起部１７が本体部１３ａの略面直方向Ａと直交する方向に、かつ、車幅方向に間隔をあけて複数個形成されている。一方、上記第２傾斜面部１３ｃの先端には、第２係合孔１１に対応するように爪状突起部１９が本体部１３ａの略面直方向Ａに沿って、かつ、車幅方向に間隔をあけて複数個突設されている。
【００１８】
上記爪状突起部１９は、図４に示すように、断面三角形状の爪部１９ｃがコ字状のスリット１９ａにより可撓性を有するように囲まれて第２傾斜面部１３ｃの外側に向かって突設されているとともに、その反対面側には一対の補強リブ１９ｄが一体に突設されている。この補強リブ１９ｄは、上記爪部１９ｃを撓ませて第２係合孔１１から着脱させる際、上記スリット１９ａ外側部分が撓まないように補強する役割と、第２係合孔１１と爪部１９ｃとの間に爪部１９ｃの撓みスペースを確保する役割とを担っている。
【００１９】
このように構成された上記加飾パネル３は、舌状突起部１７をパネル装着箇所６における第１係合面部５ｂの第１係合孔９に挿入して係合させるとともに、爪状突起部１９を第２係合面部５ｃの第２係合孔１１に対応させた状態で、加飾パネル３の本体部１３ａが押圧されてアッパーパネル５に装着される。この際、上記第２係合孔１１に補強リブ１９ｄが当接するとともに、爪部１９ｃが第２係合孔１１に押し付けられて撓み、上記爪部１９ｃが第２係合孔１１を通過した後、第２係合孔１１に係合して、反本体部の略面直方向に抜けないようになっている。
【００２０】
したがって、加飾パネル３の本体部１３ａの略面直方向Ａと直交する方向に突設された舌状突起部１７が係合するアッパーパネル５の第１係合孔９は、第１係合面部５ｂに本体部１３ａの略面直方向Ａと直交する方向に貫通形成されているので、係合箇所がアッパーパネル５の表側から見えず、意匠性を低下させない。一方、アッパーパネル５の本体部１３ａの略面直方向Ａに沿って貫通形成された第２係合孔１１に係合する加飾パネル３の爪状突起部１９は、本体部１３ａ裏面側に内方に向かって斜めに延出する第２傾斜面部１３ｃの先端に形成され、係合箇所が本体部１３ａの内方に位置して該本体部１３ａで覆われてアッパーパネル５の表側から見えない。これにより、意匠性の高い加飾パネル３を提供することができる。
【００２１】
上記意匠膜１５は水圧転写により形成されている。その要領は、図５及び図６に示すように、まず、非水溶性の塗料で構成された塗膜２１を水面Ｗに浮かべる。次に、透明基材１３を裏面を下に向け、かつ、第１傾斜面部１３ｂの一端側が下に位置するように斜めに保持する（図５参照）。さらに、上記第１傾斜面部１３ｂの裏面と水面Ｗとのなす角度θ３、及び第２傾斜面部１３ｃの裏面と水面Ｗとのなす角度θ４がともに９０°未満となる状態で塗膜２１の上方に配置する（図６参照）。この状態から、上記透明基材１３を第１傾斜面部１３ｂの一端側から矢印Ｂで示すように下方へゆっくりと移動させて水中に没入させる。これにより、塗膜２１が透明基材１３の裏面全体に連続して接触し、塗膜２１が水圧により透明基材１３の裏面に押し付けられて密着して転写される。
【００２２】
したがって、第１傾斜面部１３ｂ裏面と第２傾斜面部１３ｃ裏面とが先端にいくにしたがって互いが離れる方向に形成されているので、第１傾斜面部１３ｂ裏面はもとより、本体部１３ａの内方に向かって形成された第２傾斜面部１３ｃ裏面も所定の方向に面するように配置することができ、つまり、塗膜２１を浮かべた水面Ｗに対する第１傾斜面部１３ｂの裏面及び第２傾斜面部１３ｃの裏面の角度θ３，θ４を９０°未満に配置することができ、意匠膜１５が裏面に確実に形成された意匠性の高い加飾パネル３を容易に提供することができる。
【００２３】
また、透明基材１３を、斜めに保持し、本体部１３ａの略面直方向Ａとのなす角度θ１が大きい方の第１傾斜面部１３ｂ側、すなわち、第１傾斜面部１３ｂの一端側から水中に入れていくので、その動作に追従して第１傾斜面部１３ｂ裏面、本体部１３ａ裏面及び第２傾斜面部１３ｃ裏面の順に意匠膜１５が形成され、意匠膜１５が裏面に確実に形成された意匠性の高い加飾パネル３を提供することができる。
【００２４】
なお、本実施形態では、加飾パネル３を自動車のインストルメントパネル１に装着するようにしたが、自動車の他の内装品や自動車以外の内装品に装着するようにしてもよい。
【００２５】
また、本実施形態では、透明基材１３の裏面に意匠膜１５を水圧転写によって形成したが、水圧転写に限らず、例えば透明基材１３の裏面に塗装を施して意匠膜１５を形成してもよい。この場合においても、第１傾斜面部１３ｂ裏面と第２傾斜面部１３ｃ裏面とが先端にいくにしたがって互いが離れる方向に形成されているので、第１傾斜面部１３ｂ裏面はもとより、本体部１３ａの内方に向かって形成された第２傾斜面部１３ｃ裏面も所定の方向に面するように配置することができ、意匠膜１５が裏面に確実に形成された意匠性の高い加飾パネル３を容易に提供することができる。
【産業上の利用可能性】
【００２６】
この発明は、加飾パネルについて有用である。
【図面の簡単な説明】
【００２７】
【図１】この発明の実施形態に係る加飾パネルが適用された自動車のインストルメントパネルの略左半分を示す正面図である。
【図２】アッパーパネルに装着された加飾パネルを示す図３のII−II線に相当する断面図である。
【図３】加飾パネルの透明基材の部分斜視図である。
【図４】透明基材を上下逆向きにした部分斜視図である。
【図５】意匠膜を透明基材の裏面に水圧転写により形成する要領を示す斜視図である。
【図６】図５のVI−VI線における断面図である。
【図７】従来の図２相当図である。
【符号の説明】
【００２８】
１      インストルメントパネル
３      加飾パネル
５      アッパーパネル（被装着物）
５ｂ    第１係合面部
５ｃ    第２係合面部
６      パネル装着箇所
９      第１係合孔
１１      第２係合孔
１３      透明基材
１３ａ    本体部
１３ｂ    第１傾斜面部
１３ｃ    第２傾斜面部
１５      意匠膜
１７      舌状突起部
１９      爪状突起部
Ａ      本体部の略面直方向
【図１】
2008044577.tif 000003
【図２】
2008044577.tif 000004
【図３】
2008044577.tif 000005
【図４】
2008044577.tif 000006
【図５】
2008044577.tif 000007
【図６】
2008044577.tif 000008
【図７】
2008044577.tif 000009